(57)【要約】【課題】金属製棒状部分を電気回路の所定部分以外の部分にも接触させて電気回路をショートさせてしまったり、金属製棒状部分の露出している表面を手で触って感電してしまったりするのを防止することにある。【解決手段】テスタに接続されるとともに電気回路に押し付けられて接触する金属製棒状部分２ａを具えるテスタプローブ２において、前記金属製棒状部分２ａの表面をその金属製棒状部分２ａの先端部を残して絶縁皮膜５で覆ったことを特徴とするものである。【選択図】図１
0003121565.tif 000002
【実用新案登録請求の範囲】
【請求項１】
テスタに接続されるとともに電気回路に押し付けられて接触する金属製棒状部分を具えるテスタプローブにおいて、
前記金属製棒状部分の表面をその金属製棒状部分の先端部を残して絶縁皮膜で覆ったことを特徴とするテスタプローブ。
【請求項２】
前記絶縁皮膜で覆わずに残す前記先端部は先端から１ｍｍ以上で２ｍｍ以下の長さの部分である、請求項１記載のテスタプローブ。
【請求項３】
前記絶縁皮膜で覆わずに残す前記先端部の表面は半球状をなしている、請求項１または２記載のテスタプローブ。
【考案の詳細な説明】
【技術分野】
【０００１】
この考案は、電気機器の導通等を検査するテスタに用いて好適なテスタプローブに関するものである。
【背景技術】
【０００２】
テスタプローブは通常、テスタに接続されるとともに電気回路に押し付けられて接触する数ｃｍ程度の長さの金属製棒状部分と、その金属製棒状部分の基部を締着されてその金属製棒状部分を支持する合成樹脂製の筒状の手持ち部分とを具えており、金属製棒状部分の表面は基部を除いて全体的に外部に露出している。
【考案の開示】
【考案が解決しようとする課題】
【０００３】
しかしながら、上記従来のテスタプローブは、金属製棒状部分の表面が基部を除いて全体的に外部に露出していて接触可能な部分が多いことから、その金属製棒状部分を電気回路の所定部分に押し付けて接触させる際に、電気回路の所定部分以外の部分にも接触させて電気回路をショート（短絡）させてしまったり、金属製棒状部分の露出している表面を手で触って感電してしまったりするという問題があった。
【課題を解決するための手段】
【０００４】
この考案は、上記課題を有利に解決することを目的とするものであり、この考案のテスタプローブは、テスタに接続されるとともに電気回路に押し付けられて接触する金属製棒状部分を具えるテスタプローブにおいて、前記金属製棒状部分の表面をその金属製棒状部分の先端部を残して絶縁皮膜で覆ったことを特徴とするものである。
【考案の効果】
【０００５】
かかるこの考案のテスタプローブによれば、テスタに接続されるとともに電気回路に押し付けられて接触する金属製棒状部分の先端部の表面は絶縁皮膜で覆っていないので、その先端部の表面を電気回路の所定部分に押し付けて接触させることで、通常のテスタプローブの機能を奏することができ、しかも金属製棒状部分の表面をその金属製棒状部分の先端部を残して絶縁皮膜で覆ってあるので、金属製棒状部分を電気回路の所定部分以外の部分にも接触させて電気回路をショート（短絡）させてしまったり、金属製棒状部分の露出している表面を手で触って感電してしまったりするのを有効に防止することができる。
【０００６】
なお、この考案のテスタプローブにおいては、前記絶縁皮膜で覆わずに残す前記先端部は先端から１ｍｍ以上で２ｍｍ以下の長さの部分であると好ましい。電気回路の所定部分に押し付けて接触させるのは通常、金属製棒状部分の先端部であるところ、その先端部の露出部分が１ｍｍ未満であると短すぎて電気回路の所定部分が絶縁皮膜で遮られて見づらくなってその所定部分への押し付けが困難になり、２ｍｍを越えると長すぎてショートや感電の可能性が増すからである。
【０００７】
また、この考案のテスタプローブにおいては、前記絶縁皮膜で覆わずに残す前記先端部の表面は半球状をなしていると好ましい。金属製棒状部分の先端部が半球状であると、テスタプローブの傾きに関わらず同じようにその先端部を電気回路の所定部分に押し付けて接触させることができるからである。
【考案を実施するための最良の形態】
【０００８】
以下、本考案の実施の形態を実施例によって、図面に基づき詳細に説明する。ここに、図１は、この考案のテスタプローブの一実施例を具えるテスタコードを示す平面図、図２は、その実施例のテスタプローブの金属製棒状部分を拡大して示す平面図であり、図中符号１はそのテスタコードを示し、また図中各部の寸法は一例を示すものである。
【０００９】
ここにおけるテスタコード１は、上記実施例のテスタプローブ２と、接続コード３と、カバー付きのバナナチップ４とを具えており、図示の二本のテスタコード１の一方は、主に正（＋）電位に用いられる赤色コード、他方は、主に負（−）電位やアースに用いられる黒色コードとされている。これらのテスタコード１が具えるこの実施例のテスタプローブ２は、上記バナナチップ４および接続コード３を介して図示しないテスタ等に接続されるとともに電気回路に押し付けられて接触する金属製棒状部分２ａと、その金属製棒状部分２ａの基部を締着されてその金属製棒状部分２ａを支持する合成樹脂製の筒状の手持ち部分２ｂとを具えており、金属製棒状部分２ａには、手持ち部分２ｂに挿通された接続コード３の一端部が半田付け等で接続され、その接続コード３の他端部はバナナチップ４に接続されている。
【００１０】
ここで、金属製棒状部分２ａの表面は、その金属製棒状部分２ａの先端から１．５ｍｍまでの範囲の先端部を残して絶縁皮膜５で覆われている。また金属製棒状部分２ａの外部に露出した先端部は略半球状に形成されている。なお、金属製棒状部分２ａに先端部を残して密に付着したこの絶縁皮膜５は、例えば先端部にキャップを液密に被せた金属製棒状部分２ａを溶融塗料中にどぶ漬けして塗料を付着させ、その塗料を乾燥固化させてからキャップを外したり、型で成形した筒状の絶縁皮膜５を、金属製棒状部分２ａにその先端部が露出するように被せたり、熱収縮性樹脂製のチューブを金属製棒状部分２ａにその先端部が露出するように被せてから加熱して収縮させたりする等の、通常の方法で形成することができる。
【００１１】
かかるこの実施例のテスタプローブ２によれば、テスタに接続されるとともに電気回路に押し付けられて接触する金属製棒状部分２ａの先端部の表面は絶縁皮膜５で覆っていないので、その先端部の表面を電気回路の所定部分に押し付けて接触させることで、通常のテスタプローブの機能を奏することができ、しかも金属製棒状部分２ａの表面をその金属製棒状部分２ａの先端部を残して絶縁皮膜５で覆ってあるので、金属製棒状部分２ａを電気回路の所定部分以外の部分にも接触させて電気回路をショート（短絡）させてしまったり、金属製棒状部分２ａの露出している表面を手で触って感電してしまったりするのを有効に防止することができる。
【００１２】
さらにこの実施例のテスタプローブ２によれば、金属製棒状部分２ａの、絶縁皮膜５で覆わずに残す先端部が先端から１．５ｍｍの長さの部分であることから、電気回路の所定部分に押し付けて接触させるのは通常、金属製棒状部分の先端部であるところ、その先端部の露出部分が短すぎて電気回路の所定部分が絶縁皮膜で遮られて見づらくなってその所定部分への押し付けが困難になったり、その先端部の露出部分が長すぎてショートや感電の可能性が増すのを有効に防止することができる。
【００１３】
またこの実施例のテスタプローブ２によれば、金属製棒状部分２ａの、絶縁皮膜５で覆わずに残す先端部の表面が半球状をなしていることから、テスタプローブ２の傾きに関わらず同じようにその先端部を電気回路の所定部分に押し付けて接触させることができる。
【００１４】
以上、図示例に基づき説明したが、この考案は上述の例に限定されるものでなく、例えば、金属製棒状部分２ａの、絶縁皮膜５で覆わずに露出させて残す先端部の表面は通常の円錐状でも良く、またテスタコード１を構成するようにテスタプローブ２と組み合わされる端子はバナナチップ５でなく通常の棒状のものでも良い。
【産業上の利用可能性】
【００１５】
かくしてこの考案のテスタプローブによれば、テスタに接続されるとともに電気回路に押し付けられて接触する金属製棒状部分の先端部の表面は絶縁皮膜で覆っていないので、その先端部の表面を電気回路の所定部分に押し付けて接触させることで、通常のテスタプローブの機能を奏することができ、しかも金属製棒状部分の表面をその金属製棒状部分の先端部を残して絶縁皮膜で覆ってあるので、金属製棒状部分を電気回路の所定部分以外の部分にも接触させて電気回路をショート（短絡）させてしまったり、金属製棒状部分の露出している表面を手で触って感電してしまったりするのを有効に防止することができる。
【図面の簡単な説明】
【００１６】
【図１】この考案のテスタプローブの一実施例を具えるテスタコードを示す平面図である。
【図２】上記実施例のテスタプローブの金属製棒状部分を拡大して示す平面図である。
【符号の説明】
【００１７】
１  テスタコード
２  テスタプローブ
２ａ  金属製棒状部分
２ｂ  手持ち部分
３  接続コード
４  バナナチップ
５  絶縁皮膜
【図１】
0003121565.tif 000003
【図２】
0003121565.tif 000004